【手続補正書】
【提出日】平成17年3月31日(2005.3.31)
【手続補正１】
【補正対象書類名】明細書
【補正対象項目名】特許請求の範囲
【補正方法】変更
【補正の内容】
【特許請求の範囲】
【請求項１】
被測定対象の光ファイバに所定の光パルスを入射し、その戻り光の信号レベルを検出して光ファイバの特性を測定する光ファイバ測定装置において、
被測定対象の光ファイバに入射する所定の光パルスを発生する光パルス発生手段と、
該光パルス発生手段から前記光ファイバに入射した光パルスの複数の波長の戻り光をそれぞれ分波して検出する光パルス入出力手段と、
該光パルス入出力手段からのそれぞれの波長の光を電気信号に変換して増幅する複数の光−電気処理手段と、
該光−電気処理手段からのそれぞれの波長の信号をサンプリングして加算処理し、それぞれの波長の特性を表わす波形を形成する複数の信号処理手段と、
該信号処理手段にそれぞれの波長の戻り光の速度に応じたサンプリングクロックを生成して供給する複数のクロック生成手段と、
該クロック生成手段から発生されるサンプリングクロックの位相差に基づいて、前記光パルス発生手段および前記信号処理手段に、それぞれの処理タイミングを表わすタイミング信号を供給するタイミング制御手段とを含むことを特徴とする光ファイバ測定装置。
【請求項２】
請求項１に記載の光ファイバ測定装置において、
前記信号処理手段は、前記クロック生成手段から供給されるサンプリングクロックに基づいて前記光−電気処理手段からの信号をアナログ−デジタル変換してサンプリングするＡ−Ｄ変換手段と、
該Ａ−Ｄ変換手段からの信号を前記タイミング制御手段からのタイミング信号に基づいて加算処理する加算処理手段と、を含み、
前記クロック生成手段は、前記Ａ−Ｄ変換手段へのサンプリングクロックがそれぞ
れの波長の信号に対してサンプル分解能が同様な値になるようにそのサンプリング周波数が設定され、前記タイミング制御手段は、前記クロック生成手段からのサンプリングクロックの位相差が所定の範囲内にある場合に前記加算処理手段へのタイミング信号を発生することを特徴とする光ファイバ測定装置。
【請求項３】
請求項２に記載の光ファイバ測定装置において、
前記タイミング制御手段は、前記クロック生成手段から発生されるサンプリングクロックの位相を比較する位相比較手段と、
該位相比較手段の比較結果と測定を開始する際の測定開始信号とに基づいてそれぞれのタイミング信号を生成する際のスタート信号を発生するスタート信号生成手段と、
該スタート信号生成手段からのスタート信号に従ってそれぞれのタイミング信号の生成を開始するタイミング信号生成手段と、を含むことを特徴とする光ファイバ測定装置。
【請求項４】
請求項１に記載の光ファイバ測定装置において、
前記信号処理手段は、前記クロック生成手段から供給されるサンプリングクロックに基づいて前記光−電気処理手段からの信号をアナログ−デジタル変換してサンプリング
するＡ−Ｄ変換手段と、
前記タイミング制御手段からのタイミング信号に基づいて前記Ａ−Ｄ変換手段からの信号を加算処理する加算処理手段と、を含み、
前記クロック生成手段は、前記Ａ−Ｄ変換手段へのサンプリングクロックがそれぞれの波長の信号に対して遅延量を変化自在な遅延手段を介して前記Ａ−Ｄ変換手段に供給し、該遅延手段の遅延量は、前記クロック生成手段から発生されるサンプリングクロックの位相差に基づいて算出されることを特徴とする光ファイバ測定装置。
【請求項５】
請求項４に記載の光ファイバ測定装置において、
前記タイミング制御手段は、前記クロック生成手段から発生されるサンプリングクロックの位相を比較する位相比較手段と、
測定を開始する際の測定開始信号を受けてタイミング信号を生成する際のスタート信号を発生するスタート信号生成手段と、
該スタート信号生成手段からのスタート信号と前記クロック生成手段のいずれかのクロックに基づいてタイミング信号を生成するタイミング信号生成手段と、
該タイミング信号生成手段からのタイミング信号と前記位相比較手段での比較結果とに基づいて前記遅延手段の遅延量を制御する遅延制御手段と、を含むことを特徴とする光ファイバ測定装置。
【手続補正２】
【補正対象書類名】明細書
【補正対象項目名】０００６
【補正方法】変更
【補正の内容】
【０００６】
【課題を解決するための手段】
本発明による光ファイバ測定装置は、上述した課題を解決するために、被測定対象の光ファイバに所定の光パルスを入射し、その戻り光の信号レベルを検出して光ファイバの特性を測定する光ファイバ測定装置において、被測定対象の光ファイバ１に入射する所定の光パルスを発生する光パルス発生手段１０と、該光パルス発生手段１０から前記光ファイバに入射した光パルスの複数の波長の戻り光をそれぞれ分波して検出する光パルス入出力手段２０と、該光パルス入出力手段からのそれぞれの波長の光を電気信号に変換して増幅する複数の光−電気処理手段３０と、該光−電気処理手段３０からのそれぞれの波長の信号をサンプリングして加算処理し、それぞれの波長の特性を表わす波形を形成する複数の信号処理手段４０と、該信号処理手段４０にそれぞれの波長の戻り光の速度に応じたサンプリングクロックを生成して供給する複数のクロック生成手段５０と、該クロック生成手段５０から発生されるサンプリングクロックの位相差に基づいて、前記光パルス発生手段１０および前記信号処理手段１０に、それぞれの処理タイミングを表わすタイミング信号を供給するタイミング制御手段６０と、を含む構成である。
【手続補正３】
【補正対象書類名】明細書
【補正対象項目名】０００７
【補正方法】変更
【補正の内容】
【０００７】
この場合、信号処理手段４０は、クロック生成手段５０から供給されるサンプリングクロックに基づいて光−電気処理手段３０からの戻り光の信号をアナログ−デジタル変換してサンプリングするＡ−Ｄ変換手段４１２と、Ａ−Ｄ変換手段からの信号をタイミング制御手段６０からのタイミング信号Ｔ２に基づいて加算処理する加算処理手段４１４とを含み、クロック生成手段５０は、Ａ−Ｄ変換手段４１２へのサンプリングクロックがそれぞれの波長の信号に対してサンプル分解能が同様な値になるようにそのサンプリング周波数が設定され、タイミング制御手段６０は、クロック生成手段５０からのサンプリングクロックの位相差が所定の範囲内にある場合に加算処理手段４１４へのタイミング信号を発生するとよい。
【手続補正４】
【補正対象書類名】明細書
【補正対象項目名】０００８
【補正方法】変更
【補正の内容】
【０００８】
有利には、タイミング制御手段６０は、クロック生成手段５０から発生されるサンプリングクロックの位相を比較する位相比較手段６０４と、位相比較手段の比較結果と測定を開始する際の測定開始信号とに基づいてそれぞれのタイミング信号を生成する際のスタート信号を発生するスタート信号生成手段６０２と、スタート信号生成手段からのスタート信号に従ってそれぞれのタイミング信号の生成を開始するタイミング信号生成手段６０６とを含むとよい。
【手続補正５】
【補正対象書類名】明細書
【補正対象項目名】０００９
【補正方法】変更
【補正の内容】
【０００９】
また、信号処理手段４０は、クロック生成手段５０から供給されるサンプリングクロックに基づいて光−電気処理手段３０からの戻り光の信号をアナログ−デジタル変換してサンプリングするＡ−Ｄ変換手段４１２と、タイミング制御手段６０からのタイミング信号Ｔ２に基づいてＡ−Ｄ変換手段からの信号を加算処理する加算処理手段４１４とを含み、クロック生成手段５０は、Ａ−Ｄ変換手段４１２へのサンプリングクロックがそれぞれの波長の信号に対して遅延量を変化自在な遅延手段８０４〜８０ｎを介してＡ−Ｄ変換手段４１２に供給し、その遅延手段の遅延量は、クロック生成手段５０から発生されるサンプリングクロックの位相差に基づいて算出されるとよい。
【手続補正６】
【補正対象書類名】明細書
【補正対象項目名】００３４
【補正方法】変更
【補正の内容】
【００３４】
また、本発明の光ファイバ測定装置によれば、信号処理手段は、クロック生成手段から供給されるサンプリングクロックに基づいて光−電気処理手段からの信号をアナログ−デジタル変換してサンプリングするＡ−Ｄ変換手段と、Ａ−Ｄ変換手段からの信号をタイミング制御手段からの第２のタイミング信号に基づいて加算処理する加算処理手段とを含み、クロック生成手段は、Ａ−Ｄ変換手段へのサンプリングクロックがそれぞれの波長の信号に対してサンプル分解能が同様な値になるようにそのサンプリング周波数が設定され、タイミング制御手段は、クロック生成手段からのサンプリングクロックの位相差が所定の範囲内にある場合に加算処理手段への第２のタイミング信号を発生するので、サンプリングして加算処理した結果のそれぞれの波長の戻り光の測定波形において、それぞれ同一サンプリングポイントのデータが光ファイバの同一距離のデータとして求めることができるとともに、それらを簡単かつ明確に比較することができる。
【手続補正７】
【補正対象書類名】明細書
【補正対象項目名】００３５
【補正方法】変更
【補正の内容】
【００３５】
また、本発明の光ファイバ測定装置によれば、タイミング制御手段は、クロック生成手段から発生されるサンプリングクロックの位相を比較する位相比較手段と、位相比較手段の比較結果と測定を開始する際の測定開始信号とに基づいて第１および第２のタイミング信号を生成する際のスタート信号を発生するスタート信号生成手段と、スタート信号生成手段からのスタート信号に従って第１および第２のタイミング信号の生成を開始するタイミング信号生成手段とを含むので、スタートボタンの押下により複数の戻り光の測定を簡単かつ的確に実行して、同一サンプリングポイントでの同一距離のデータを含む測定波形を有利に得ることができる。
【手続補正８】
【補正対象書類名】明細書
【補正対象項目名】００３６
【補正方法】変更
【補正の内容】
【００３６】
さらに、本発明の光ファイバ測定装置によれば、信号処理手段は、クロック生成手段から供給されるサンプリングクロックに基づいて光−電気処理手段からの信号をアナログ−デジタル変換してサンプリングするＡ−Ｄ変換手段と、タイミング制御手段からの第２のタイミング信号に基づいてＡ−Ｄ変換手段からの信号を加算処理する加算処理手段とを含み、クロック生成手段は、Ａ−Ｄ変換手段へのサンプリングクロックがそれぞれの波長の信号に対して遅延量を変化自在な遅延手段を介してＡ−Ｄ変換手段に供給し、その遅延手段の遅延量は、クロック生成手段から発生されるサンプリングクロックの位相差に基づいて算出されるので、サンプリングして加算処理した結果のそれぞれの波長の戻り光の測定波形において、それぞれ同一サンプリングポイントのデータが光ファイバの同一距離のデータとして求めることができ、さらに、それらを簡単かつ明確に比較することができる。
【手続補正９】
【補正対象書類名】明細書
【補正対象項目名】００３７
【補正方法】変更
【補正の内容】
【００３７】
また、本発明の光ファイバ測定装置によれば、クロック生成手段から発生されるサンプリングクロックの位相を比較する位相比較手段と、位相比較手段の比較結果と測定を開始する際の測定開始信号とに基づいて第１および第２のタイミング信号を生成する際のスタート信号を発生するスタート信号生成手段と、スタート信号生成手段からのスタート信号に従って第１および第２のタイミング信号の生成を開始するタイミング信号生成手段とを含むので、スタートボタンの押下により複数の戻り光の測定を簡単かつ的確に実行して、同一サンプリングポイントでの同一距離のデータを含む測定波形を有利に得ることができる。